(57)【要約】      （修正有）【課題】サムネイル画像から、より好適に文書の内容を把握することが可能な文書情報表示制御装置を提供する。【解決手段】特徴量取得部２０１が取得した画像の特徴量に基づき全体画像のサムネイル画像と併せて全体画像の特徴部分のサムネイル画像を生成、表示する。特徴部分のサムネイル画像を表示する場合には、例えばスクロール指示用の方向キーなどを表示し、ユーザからスクロール指示があった場合には、特徴部分の隣接領域のサムネイル画像を生成、表示することにより、サムネイル画像のスクロール処理を行う。【選択図】図２
2008098713.tif 000002
【特許請求の範囲】
【請求項１】
サムネイル画像を表示する表示手段と、
文書画像の特徴部分を取得する特徴部分画像取得手段と、
前記特徴部分画像取得手段が取得した特徴部分のサムネイル画像を生成するサムネイル画像生成手段と、
前記ユーザから、前記サムネイル画像のスクロール要求があった場合に、隣接領域のサムネイル画像を生成する隣接領域サムネイル画像生成手段とを備える
ことを特徴とする文書情報表示制御装置。
【請求項２】
前記サムネイル画像生成手段は、
前記特徴部分を含む所定領域を切り出し、当該所定領域からサムネイル画像を生成し、
前記隣接領域サムネイル画像生成手段は、
前記所定領域と略同一の面積の隣接領域を切り出し、前記隣接領域のサムネイル画像を生成する
ことを特徴とする請求項１に記載の文書情報表示制御装置。
【請求項３】
さらに、文書画像全体のサムネイル画像を生成する全体サムネイル画像生成手段と、
前記表示手段に表示されるサムネイル画像を、前記文書画像全体のサムネイル画像と、前記特徴部分のサムネイル画像との間で切り替える切り替え手段を備える
ことを特徴とする請求項１に記載の文書情報表示制御装置。
【請求項４】
前記表示手段に、前記文書画像全体のサムネイル画像を表示する際に、前記特徴部分を識別可能に表示する
ことを特徴とする請求項３に記載の文書情報表示制御装置。
【発明の詳細な説明】
【技術分野】
【０００１】
本発明は、文書情報表示制御装置に関し、特に表示部にサムネイル画像を表示する場合において、表示内容を制御する技術に関する。
【背景技術】
【０００２】
複数の文書ファイルを一覧表示する際に、例えば文書の先頭ページのサムネイル画像を表示する場合がある。先頭ページのサムネイル画像を単に表示するだけでは、表示されたサムネイル画像から当該文書の内容を把握することが困難な場合もあることから、全体画像のサムネイル画像だけでなく、代表部分のサムネイル画像を表示する技術が特許文献１に開示されている。
【０００３】
【特許文献１】特開２００２−１６５０９１号公報
【発明の開示】
【発明が解決しようとする課題】
【０００４】
上記特許文献１の技術では、代表部分の検出を自動的に行っており、生成された代表部分のサムネイル画像が、必ずしもユーザにとって便宜なものとならない可能性があるという問題点を有していた。
【０００５】
本発明は係る問題点に鑑みてなされたものであって、サムネイル画像から、より好適に文書の内容を把握することが可能な文書情報表示制御装置を提供することを目的としている。
【課題を解決するための手段】
【０００６】
上記の問題点を解決するために、本発明に係る文書情報表示制御装置は、サムネイル画像を表示する表示手段と、文書画像の特徴部分を取得する特徴部分画像取得手段と、前記特徴部分画像取得手段が取得した特徴部分のサムネイル画像を生成するサムネイル画像生成手段と、前記ユーザから、前記サムネイル画像のスクロール要求があった場合に、隣接領域のサムネイル画像を生成する隣接領域サムネイル画像生成手段とを備えることを特徴としている。
【０００７】
前記サムネイル画像生成手段は、前記特徴部分を含む所定領域を切り出し、当該所定領域からサムネイル画像を生成し、前記隣接領域サムネイル画像生成手段は、前記所定領域と略同一の面積の隣接領域を切り出し、前記隣接領域のサムネイル画像を生成する構成とすることができる。
【０００８】
さらに、文書画像全体のサムネイル画像を生成する全体サムネイル画像生成手段と、前記表示手段に表示されるサムネイル画像を、前記文書画像全体のサムネイル画像と、前記特徴部分のサムネイル画像との間で切り替える切り替え手段を備える構成とすることもできる。
【０００９】
前記表示手段に、前記文書画像全体のサムネイル画像を表示する際に、前記特徴部分を識別可能に表示する構成とすることもできる。
【発明の効果】
【００１０】
本発明に係る文書情報表示制御装置によると、表示されたサムネイル画像から、より好適に文書の内容を把握することができるという効果を奏する。
【発明を実施するための最良の形態】
【００１１】
以下、本発明の実施の形態について、図面を参照しながら説明する。
（１）ＰＣ１０の構成
まず、本発明の実施の形態の文書情報表示制御装置がインストールされる情報処理装置の構成について説明する。図１は、情報処理装置の一例としてのパーソナル・コンピュータ（ＰＣ）１０のハードウェア構成の一例を示す図である。ＰＣ１０は、操作部１１、ディスプレイ部１２、通信インタフェース１６、ＣＰＵ２０、ＲＯＭ２１、ＲＡＭ２２、およびデータ記憶部２３などによって構成される。
【００１２】
操作部１１としては、マウスやキーボードなどの入力デバイスを備えることができる。本実施の形態では、サムネイル画像を選択する入力、表示されたサムネイル画像をスクロールさせる指示入力などのために操作部１１が使用される。操作部１１としては、他のポインティングデバイス、ソフトウェアキーボードなどを利用することもできる。
【００１３】
ディスプレイ部１２には、文書のサムネイル画像、確認メッセージなどの各種メッセージ等が表示される。ディスプレイ部１２としては液晶ディスプレイ、ＣＲＴなどを用いることができる。通信インタフェース１６は、例えばＬＡＮ等のネットワークを介して外部装置とデータの送受信を行うための装置である。通信インタフェース１６として、例えばＮＩＣ（ネットワーク・インタフェース・カード）を用いることができる。
【００１４】
データ記憶部２３は、ハードディスク２３Ｈ、カードリーダライタ２３Ｒ、ＣＤ／ＤＶＤドライブ２３Ｃなどを有している。カードリーダライタ２３Ｒは、コンパクトフラッシュ（登録商標）、スマートメディアなどのメモリカード９１からデータを読み取り、またはメモリカード９１にデータを書き込む。ＣＤ／ＤＶＤドライブ２３Ｃは、本実施の形態の文書情報表示制御装置のプログラムを格納したＣＤ−ＲＯＭ等を読み取って、ＰＣ１０にインストールする際などに用いられる。ハードディスク２３Ｈには、文書ファイルや、例えば先頭ページのサムネイル画像などが格納される。
【００１５】
なお、本実施の形態の文書情報表示制御装置の機能は、ＲＯＭ２１に格納されたプログラム２１１、ハードディスク２３Ｈに格納され、ＲＡＭ２２にロードされたプログラム２２１がＣＰＵ２０上で動作することにより実現される。なお、ＲＡＭ２２には、プログラム２２１だけでなく、データ２２２も格納される。
【００１６】
（２）文書情報表示制御装置の構成
以下、本実施の形態の文書情報表示制御装置の構成について説明する。図２は、文書情報表示制御装置の構成の一例について説明するための機能ブロック図である。
【００１７】
文書情報表示制御装置は、機能的に、特徴量取得部２０１、サムネイル情報取得部２０２、表示内容生成部２０３、スクロール処理部２０４を備えている。各部の機能はＲＯＭ２１、ＲＡＭ２２に格納されたプログラムがＣＰＵ２０上で動作することにより実現される。本実施の形態では、例えばハードディスク２３Ｈに文書ファイル格納部２３１が設けられている。
【００１８】
特徴量取得部２０１は、文書の中でサムネイル画像生成の対象となるページの各部の特徴量を取得する。取得された特徴量は、ページ全体のサムネイル画像（全体サムネイル画像）とは別に生成される特徴部分のサムネイル画像（特徴部分サムネイル画像）の生成に利用される。本実施の形態では、ＰＣ１０に別途接続されたスキャナ１３で原稿を読み取って得た画像データの特徴量を取得することもできるが、ハードディスク２３Ｈ、メモリカード９１等の媒体に格納された画像データについて特徴量を取得することも可能である。
【００１９】
特徴量取得部２０１により取得される特徴量の例として、例えば以下のようなものが考えられる。即ち、画像の特徴的な色、画像内のエッジ部分で切り分けられる画像の内容、文字といったものである。特徴量取得部２０１は、取得した特徴量に基づき、全体画像の特徴部分を切り出し、文書ファイル、特徴量などの情報と併せて文書ファイル２３１に格納する。特徴部分から特徴部分のサムネイル画像を生成することができる。特徴量に基づく画像の切り出しには、種々の公知技術を適用することが可能であるが、ここで、いくつかの具体例について説明する。
【００２０】
まず、画像の特徴的な色の部分を取得して切り出しを行う場合、画像データの画素値をスキャンして色相、彩度、明度の分け、画像部分ごとの出現頻度をカウントする。そして、出現頻度の低い色を特徴色と判定し、特徴色が存在するグループを特徴的な部分として切り出すことができる。なお、頻度が少なすぎる場合には単なるノイズである可能性もあるため、例えば１％以上を目安とすることができる。ここで、予め抽出したい対象に合う値を設定しておくと、より好適に好みの対象部分を切り出すことも可能となる。
【００２１】
次に、画像内のエッジ抽出を行う場合、全体画像内のエッジ部分を抽出し、エッジ画像を生成する。そしてエッジ画像から特徴のある部分を切り出すことができる。この場合も、予め抽出したい対象に合う値を設定しておく形態が可能である他、周囲との画素値の差が特に大きい部分を切り出すような形態も可能である。
【００２２】
また、文字を参照する場合、まずＯＣＲ機能により画像内の文字領域を抽出する。文字領域が存在するものの、文字領域の面積が小さい場合、文字以外の部分の画像を切り出すことができるし、文字部分を切り出しても良い。また、文字サイズの大きい領域を切り出すこともできる。文字サイズを参照して、例えばタイトル部分を切り出すといった処理も可能である。
【００２３】
サムネイル情報取得部２０２は、文書ファイル格納部２０１から情報を取り出して全体画像のサムネイル画像、或いは特徴部分のサムネイル画像を生成する。生成されたサムネイル画像は、ディスプレイ部１２への表示内容を生成する表示内容生成部２０３を介して画面に表示される。
【００２４】
図３は、特徴部分のサムネイル画像を生成する方法の一例について説明するための図である。同図の例では、全体画像２３９から文字サイズの大きいタイトル領域（図中、点線で囲まれた領域２３９１）を切り出し、特徴部分のサムネイル画像１２１を生成し、ディスプレイ部１２に表示している。まず、全体画像のサムネイル画像を表示し、操作部１１としてのマウスを用いて全体画像のサムネイル画像をクリックした場合に特徴部分のサムネイル画像に切り替えることができる。
【００２５】
図４は、本実施の形態において、特徴部分のサムネイル画像に切り替えた状態の一例を示す図であり、特徴部分サムネイルのサムネイル画像の周囲にスクロール指示のための方向ボタン１２５が表示される。ユーザは、方向ボタン１２５のいずれかを選択することによりサムネイル画像のスクロールを行うことができる。全体画像の中の特徴部分の位置により、スクロール可能な方向が限られることがあるので、そのような場合は、スクロール可能な方向のみ方向ボタンを表示することもできる。
【００２６】
スクロール処理部２０４は、スクロール指示を受けて、表示されている特徴部分の隣接領域のサムネイル画像を生成し、ディスプレイ部１２に表示する。図５は、図４に示した特徴部分のサムネイル画像を右側にスクロールさせた状態を示す図である。本実施の形態では、最初に表示される特徴部分の範囲の大きさは、取得された特徴量に応じて適宜決定されるが、スクロールの際には、図６に示されるように、最初に表示される特徴部分サムネイル画像の範囲２３９１と略同一の面積の隣接領域２３９２を切り出し、隣接領域のサムネイル画像を生成する。
【００２７】
以上に説明したように、本実施の形態のような特徴部分のサムネイル画像の生成、及びスクロール処理を可能とすることで、例えば最初に表示された特徴部分のサムネイル画像だけでは文書の内容等が把握できない場合に、より容易に内容を把握することができる。
【００２８】
（変形例）
以上、本発明の実施の形態について説明したが、本発明の内容が上記実施の形態において説明された具体例によって限定されないことは勿論であり、例えば、以下のような変形例を実施することもできる。
【００２９】
（１）全体画像のサムネイル画像を表示している際に、特徴部分のサムネイル画像に切り替える方法として、上記実施の形態では、サムネイル画像のクリックにより切り替える場合を説明した（特徴部分のサムネイル画像をクリックすることで全体画像のサムネイル画像に切り替えるような構成も可能である）。もっとも、両者を並べて表示するような構成も可能である。
【００３０】
（２）また、全体画像のサムネイル画像を表示する際に、特徴部分を示して表示するような構成も可能である。例えば、図３に例示した全体画像２３９のサムネイル画像を表示する際に、当該全体画像のサムネイル画像の中に、図中点線で囲まれた特徴部分（領域２３９１）を識別可能に表示するような形態も可能である。
【産業上の利用可能性】
【００３１】
本発明は、例えば、表示部にサムネイル画像を表示する文書情報表示制御装置に適用することができる。
【図面の簡単な説明】
【００３２】
【図１】パーソナル・コンピュータ（ＰＣ）１０のハードウェア構成の一例を示す図である。
【図２】文書情報表示制御装置の構成の一例について説明するための機能ブロック図である。
【図３】特徴部分のサムネイル画像を生成する方法の一例について説明するための図である。
【図４】特徴部分のサムネイル画像に切り替えた状態の一例を示す図である。
【図５】図４に示した特徴部分のサムネイル画像を右側にスクロールさせた状態を示す図である。
【図６】隣接領域のサムネイル画像を生成する方法の一例について説明するための図である。
【符号の説明】
【００３３】
１０                      パーソナル・コンピュータ（ＰＣ）
１１                      操作部
１２                      ディスプレイ部
１３                      スキャナ
１６                      通信インタフェース
２０                      ＣＰＵ
２１                      ＲＯＭ
２２                      ＲＡＭ
２３                      データ記憶部
２３Ｈ                    ハードディスク
２３Ｒ                    カードリーダライタ
２３Ｃ                    ＣＤ／ＤＶＤドライブ
９１                      メモリカード
２０１                    特徴量取得部
２０２                    サムネイル情報取得部
２０３                    表示内容生成部
２０４                    スクロール処理部
２３１                    文書ファイル格納部
【図１】
2008098713.tif 000003
【図２】
2008098713.tif 000004
【図３】
2008098713.tif 000005
【図４】
2008098713.tif 000006
【図５】
2008098713.tif 000007
【図６】
2008098713.tif 000008